(57)【要約】双安定ディスプレイ１００は、電圧波形をディスプレイ１００の画素１８に供給することで駆動される。画像の更新周期ＩＵＰの間にディスプレイ１００に表示されるべき情報ＤＩに基づいて、画像の更新周期ＩＵＰの間にどの画素がそれらの光学的状態を変更するかが判定される。画素からなるサブエリアＷＩは、画像の更新周期ＩＵＰの間に更新される必要があるかが判定される。サブエリアＷ１の寸法は、この画像の更新周期ＩＵＰの間にそれらの光学的状態を変える必要がある画素をカバーするため、動的に決定される必要がある。駆動回路１０１は、サブエリアＷＩの画素１８をアドレス指定するために制御される。
2006516747.tif 000002
【特許請求の範囲】
【請求項１】
ディスプレイの画素に電圧波形を供給するための駆動回路と、画像の更新周期の間に前記ディスプレイに表示されるべき情報を受信するためのコントローラとを有する、双安定ディスプレイを駆動するためのドライバであって、
前記コントローラは、
前記画像の更新周期の間に更新されるべき画素からなるサブエリアであって、該サブエリアの寸法が前記画像の更新周期の間にそれらの光学的な状態を変える必要がある画素をカバーするために動的に変更されるサブエリアを決定するための手段と、
前記サブエリアの画素をアドレス指定するために前記駆動回路を制御するためのアドレスコントローラと、
を有することを特徴とするドライバ。
【請求項２】
前記コントローラは、前記画像の更新周期の間のどの画素がそれらの光学的状態を変化する必要があるかを判定するための手段を更に備える、
請求項１記載のドライバ。
【請求項３】
前記双安定ディスプレイは、交点を得るために交差する選択電極とデータ電極を有するマトリクス型ディスプレイであり、前記画素は前記交点に関連し、
前記駆動回路は、
前記選択電極の方向に延びる少なくとも１つの画素のラインを選択するため、前記選択電極に選択電圧を供給するための選択ドライバと、
選択されている前記少なくとも１つの画素のラインの光学的状態を判定するため、前記データ電極にデータ電圧を供給するためのデータドライバとを含み、
前記アドレスコントローラは、前記サブエリアに関連する画素のラインを選択するために前記選択ドライバを制御し、選択されている画素の光学的な状態に実質的に影響を及ぼさないように選択されるホールド電圧を、前記サブエリアに関連されない画素に供給するために前記データドライバを制御するために構成される、
ことを特徴とする請求項１記載のドライバ。
【請求項４】
前記アドレスコントローラは、それらの光学的状態を変える必要がないサブエリア内の画素に前記ホールド電圧を供給するために構成される、
請求項３記載のドライバ。
【請求項５】
前記サブエリアは、矩形窓であり、前記サブエリアの画素をアドレス指定するために前記駆動回路を制御するためのアドレスコントローラは、前記画像の更新周期の間、前記サブエリアに関連する連続する選択電極のグループのうちの選択電極のみを選択するため、前記選択ドライバを制御するために構成される、
請求項３記載のドライバ。
【請求項６】
前記コントローラは、前記サブエリアに関連している前記選択電極及び前記データ電極を決定するため、前記矩形窓の２つの対向するコーナの座標を受けるために構成される、
請求項５記載の駆動回路。
【請求項７】
前記コントローラは、前記サブエリアの実質的に最小の寸法を決定するために構成される、
請求項１記載のドライバ。
【請求項８】
前記画像の更新周期の間に、前記コントローラは、前記サブエリアに関連する選択電極を１つ毎に選択するために前記選択ドライバを制御するために構成される、
請求項３記載のドライバ。
【請求項９】
前記双安定マトリクス型ディスプレイは、異なって帯電され、第一の色と第二の色を有する少なくとも２つのタイプの異なる粒子をもつマイクロカプセルを有する電気泳動マトリクス型ディスプレイであり、
前記コントローラは、前記画像の更新周期の間に、時間的に整列されるシェーキングパルス及び該シェーキングパルスに先行する駆動パルスを含む駆動波形を供給するために前記データドライバを制御し、前記駆動パルスの間に１つ毎に、又は前記シェーキングパルスの間にサブグループで前記サブエリアに関連される前記選択電極を選択するために前記選択ドライバを制御するために構成され、
前記シェーキングパルスは、極端な光学的状態のうちの１つに対応するその限界の位置の１つに存在する粒子を解放するために十分なエネルギーであって、前記極端な光学的状態の別の１つに対応するその限界の位置の他の１つに前記粒子が到達するのを可能にするためには不十分なエネルギーを有する少なくとも１つのプリセットパルスを有する、
請求項３記載のドライバ。
【請求項１０】
前記コントローラは、更なる画像の更新周期の間に更なる表示モードで、完全な表示領域又は前記サブエリアの外側にあるエリアを更新するために前記駆動回路を制御するために構成される、
請求項１記載のドライバ。
【請求項１１】
前記コントローラは、前記更なる表示モードで、完全な表示領域又は前記サブエリアの外側にあるエリアをライン毎に選択すること、画像の更新周期の間に画素を個々にアドレス指定することを制御するために構成される、
請求項１０記載のドライバ。
【請求項１２】
前記双安定マトリクス型ディスプレイは、異なって帯電され、第一の色と第二の色を有する少なくとも２つのタイプの異なる粒子をもつマイクロカプセルを有する電気泳動マトリクス型ディスプレイであり、
前記コントローラは、前記更なる画像の更新周期の間に、時間的に整列されるシェーキングパルス及び該シェーキングパルスに先行する駆動パルスを有する駆動波形を供給するために前記データドライバを制御し、前記駆動パルスの間に１つ毎に、又は前記シェーキングパルスの間にサブグループで前記完全な表示領域又は前記サブエリアの外側にあるエリアに関連する前記選択電極を選択するために前記選択ドライバを制御するために構成される、
請求項１０記載のドライバ。
【請求項１３】
前記コントローラは、第一の表示モードで、第一の画像の更新周期の間に前記サブエリアの画素に第一の駆動波形を供給し、更なる表示モードで、更なる画像の更新周期の間に完全な表示領域又は前記サブエリアの外側にあるエリアに第二の駆動波形を供給するために前記データドライバを制御するために構成され、前記第一の表示モード及び前記更なる表示モードにおける光学的遷移は、前記更なる画像の更新周期よりも短い前記第一の画像の更新周期の期間を得るために選択される、
請求項１０記載のドライバ。
【請求項１４】
前記第一の表示モードで、前記駆動回路は、前記第一の画像の更新周期の間に、２つの極端な光学的状態を得るために前記第一の駆動電圧波形を発生するために構成される、
請求項１３記載の駆動回路。
【請求項１５】
第二の表示モードで、前記駆動回路は、前記２つの極端な光学的状態の間で少なくとも１つの光学的状態を有する画像を表示するため、前記第二の駆動電圧波形を生成するために構成される、
請求項１３記載の駆動回路。
【請求項１６】
請求項１記載の双安定ディスプレイ及びドライバを有する表示装置。
【請求項１７】
前記双安定マトリクス型ディスプレイは、少なくとも１つの帯電された粒子が外部電界の印加に応じて液体において移動する電気泳動マトリクス型ディスプレイである、
請求項１６記載の表示装置。
【請求項１８】
前記電気泳動マトリクス型ディスプレイは、異なって帯電され、第一及び第二の色をそれぞれ有する少なくとも２つのタイプの異なる粒子をもつマイクロカプセルを有する、
請求項１７記載の表示装置。
【請求項１９】
双安定ディスプレイを駆動する方法であって、
前記ディスプレイの画素に電圧波形を供給するステップと、
画像の更新周期の間に更新される必要がある画素からなるサブエリアであって、該サブエリアの寸法が前記画像の更新周期の間にそれらの光学的状態を変化させる必要がある画素をカバーするために動的に決定されるサブエリアを決定するステップと、
前記サブエリアの前記画素をアドレス指定するため、前記供給するステップを制御するステップと、
を有することを特徴とする方法。
【請求項２０】
画像の更新周期の間、前記ディスプレイに表示されるべき情報に基づいて、どの画素が画像の更新周期の間にそれらの光学的状態を変える必要があるかを決定するステップを更に有する、
請求項１９記載の双安定ディスプレイを駆動する方法。
【発明の詳細な説明】
【技術分野】
【０００１】
本発明は、双安定ディスプレイデバイスを駆動するための駆動回路、双安定ディスプレイデバイス及びかかる駆動回路を有する表示装置、及び双安定ディスプレイデバイスを駆動する方法に関する。
【０００２】
たとえば電気泳動のマトリクス型ディスプレイのような、双安定ディスプレイデバイスは、たとえば、電子書籍、移動電話、パーソナルデジタルアシスタント、ラップトップコンピュータ、及びモニタで使用される。
【背景技術】
【０００３】
電気泳動ディスプレイデバイスは、国際特許出願WO99/53373から知られている。この特許出願は、電子インクディスプレイを開示しており、この電子インクディスプレイは、２つの基板を有しており、その一方は透明であり、他方の基板には行及び列に配列された電極が設けられている。表示素子すなわち画素は、行電極と列電極との交点と関連している。それぞれの表示素子は、薄膜トランジスタ（以下ＴＦＴと呼ばれる）の主電極を介して列電極に結合されている。ＴＦＴのゲートは、行電極に結合される。この表示素子の配置、ＴＦＴ並びに行電極及び列電極は、アクティブマトリクス型ディスプレイデバイスを全体として形成する。
【０００４】
それぞれの画素は、ＴＦＴを介して列電極に接続される画素の電極である画素電極を有している。画像を更新する周期すなわちイメージリフレッシュ周期の間、行ドライバは、１つ毎に表示素子の全ての行を選択するために制御され、列ドライバは、列電極及びＴＦＴを介して表示素子の選択された行に並行にデータ信号を供給するために制御される。データ信号は、表示されるべきイメージデータに対応する。
【０００５】
さらに、画素電極と透明基板上に設けられる共通電極との間には、電子インクが設けられる。電子インクは、したがって、共通電極と画素電極との間に挟まれる。電子インクは、約１０〜５０ミクロンの多数のマイクロカプセルを有している。それぞれのマイクロカプセルは、液体に浮遊される、正に帯電された白色粒子と負に帯電された黒色粒子を有している。共通電極に関して画素電極に正の電圧が印加されたとき、白色粒子は、透明電極に向けられるマイクロカプセルの側に移動し、表示素子は、見る人にとって白色に見える。同時に、黒色粒子は、マイクロカプセルの反対側の画素電極に移動し、ここで、見る人から隠される。共通電極に関して画素電極に負の電圧を印加することで、黒色粒子は、透明電極に向けられるマイクロカプセルの側にある共通電極に移動し、表示素子は、見る人にとって暗く見える。電場が除かれたとき、表示素子は、取得された状態のままであって、双安定の特徴を示す。その黒色粒子と白色粒子とをもつこの電子インクディスプレイは、電子書籍として特に有効である。
【０００６】
グレイスケールは、マイクロカプセルのトップにある共通電極に移動する粒子の量を制御することにより、ディスプレイデバイスで形成することができる。たとえば、電界強度と印加時間との積として定義される、正の電場又は負の電場のエネルギーは、マイクロカプセルのトップに移動する粒子の量を制御する。
【０００７】
公開されていない欧州特許出願ＥＰ０３１００１３３．２から、駆動パルスの前に印加されるリセットパルスの期間を延ばすことで画像の保持を最小にすることが知られている。オーバリセットパルスがリセットパルスに追加され、オーバリセットパルスとリセットパルスは、全体として、画素を２つの極端な光学的状態のうちの１つにするために必要とされるよりも大きなエネルギーを有する。オーバリセットパルスの期間は、連続する画素の光学的状態の間の必要とされる遷移に依存する場合がある。明示的に記載されないが、簡単さのため、用語リセットパルスは、オーバリセットパルスのないリセットパルス、又はリセットパルスとオーバリセットパルスの組み合わせの両者をカバーする場合がある。リセットパルスを使用することで、画素は、はじめに、駆動パルスが表示されるべき画像に従って画素の光学的状態を変化する前に、２つの上手く定義された極端な光学的状態のうちの１つにされる。この改善は、グレイ又は中間レベルの精度を改善する。
【０００８】
たとえば、黒色又は白色粒子が使用される場合、２つの極端な光学的状態は黒と白である。極端な状態である黒では、黒色粒子は、透明電極に近い位置にあり、極端な状態である白では、白色粒子は、透明電極に近い位置にある。
【０００９】
駆動パルスは、画素の光学的状態を２つの極端な光学的状態の間にある場合がある所望のレベルに変化するためのエネルギーを有している。また、駆動パルスの期間は、光学的状態の必要とされる遷移に依存する場合がある。
【００１０】
公開されていない特許出願ＥＰ０３１００１３３．２は、実施の形態で（シェーキングパルスとも呼ばれる）プリセットパルスがリセットパルスに先行することを開示している。好ましくは、シェーキングパルスは、一連のＡＣパルス（プリセットパルス）を含んでいるが、シェーキングパルスは、単一のプリセットパルスを含んでいる場合がある。シェーキングパルスの（１つのプリセットパルスである）それぞれのレベルは、極端な位置の１つに存在する粒子を解放するに十分なエネルギー（又は電圧レベルが固定されている場合には期間）であって、極端な位置のうちの他の一方に粒子が到達するのは不十分なエネルギーを有する。シェーキングパルスは、リセットパルスが即座の効果を有するように粒子の移動度を増加する。シェーキングパルスが１を超えるプリセットパルスを含んでいる場合、それぞれのプリセットパルスは、シェーキングパルスのレベルの期間を有している。たとえば、シェーキングパルスがハイレベル、ロウレベル及びハイレベルを連続して有する場合、このシェーキングパルスは、３つのプリセットパルスを有する。シェーキングパルスが１つのレベルを有する場合、唯一のプリセットパルスが存在する。
【００１１】
公開されていない欧州特許ＥＰ０２０７７０１７．８は、駆動パルスに直前にあるシェーキングパルスの使用に向けられている。  
画像更新の周期の間に画素に提供されなければならない完全な電圧波形は、駆動波形と呼ばれる。駆動波形は、異なる光学的遷移について通常異なる。
【００１２】
全ての態様では、それぞれの画像更新の周期の間、たとえば駆動パルスに先行するリセットパルス、又はシェーキングパルス、リセットパルス及び駆動パルス、又はシェーキングパルス、リセットパルス、シェーキングパルス及び駆動パルスといった同じ系列を含む駆動波形が供給される。異なる画素が異なる光学的状態に変化する必要がある場合があり、それぞれの画素は、いずれかの光学的状態からいずれかの光学的状態に変化する場合があり、それぞれの画像の更新の期間は、最も長い駆動波形の期間により決定される。
【発明の開示】
【課題を解決するための手段】
【００１３】
本発明に係る双方向ディスプレイデバイスの駆動は、ディスプレイの完全な表示領域のサブエリアのみが更新される表示モードをディスプレイが有している点で、公開されていない特許出願ＥＰ０３１００１３３．２に開示される駆動とは異なる。このサブエリアの寸法は、たとえばそれぞれの画像の更新周期について、動的に決定される。サブエリアの寸法は、画素が次の画像更新周期の間にそれらの光学的状態を変えなければならないことに依存している。サブエリアに属する画素のみが画像の更新周期の間に更新される。このことは、数画素のみが更新される必要があり、これによりサブエリアが小さい場合に、画像の更新周期が非常に短いという利点を有する。より多くの画素が別の画像の更新周期で更新される必要がある場合、サブエリアは、少なくとも更新されるべき画素をカバーするためにより大きく選択され、画像の更新周期は、幾分長くなる。結果的に、更新される必要がある画素数に依存して、サブエリアの寸法は、更新されるべき画素をカバーするために動的に制御される。
【００１４】
サブエリアに表示される情報が高いレートである場合、より短い更新周期又はより高いフレッシュレートがサブエリアにおいて重要である。応用の例は、比較的緩やかに変化する画像をバックグランドに表示することが可能であって、ユーザ入力に応答して比較的高速に更新されるべきサブエリア（バックグランドエリアに重なるウィンドウ）にテキスト情報を表示する表示装置である。ユーザ入力の量及び／又は入力された情報に応じた情報の表示は変動する場合があるので、要求される画素のサブエリアを更新するために、サブエリアの寸法を見失わないようにする。
【００１５】
本発明の第一の態様は、請求項１に記載される双安定ディスプレイを駆動するための駆動回路を提供する。本発明の第二の態様は、請求項１６に記載される表示装置を提供する。本発明の第三の態様は、請求項１９に記載される方法を提供する。有利な実施の形態は、従属の請求項に定義されている。
【００１６】
請求項２に記載される本発明に係る実施の形態では、コントローラは、画像の更新周期（ＩＵＰ）の間にどの画素がそれらの光学的状態を変化する必要があるかを判定するための回路を更に有している。例を介して、この回路は、前の画像を記憶するためのメモリを有し、どの画素が次の画像でそれらの光学的状態を変える必要があるかを比較する。
【００１７】
請求項３に記載される本発明に係る実施の形態では、マトリクス型ディスプレイは、交差する選択電極とデータ電極を有し、画素は、選択電極とデータ電極との交点と関連する。コントローラは、サブエリアのみに関連される画素のラインを選択するため、選択電圧を選択電極に供給するために選択ドライバを制御し、データ電極にデータ電圧又は駆動波形を供給するためにデータドライバを制御する。サブエリアに属しない画素に供給されるデータ電圧は、選択されるこれらの画素の光学的状態が変化しないようなレベルを有する。
【００１８】
このように、サブエリアは、通常、完全なディスプレイがアドレス指定されるのと同じやり方でアドレス指定される場合がある。異なる点は、サブエリアの画素に関連される選択ラインのみがアドレス指定され、サブエリア外の画素に供給されるデータ電圧は、これらの画素の光学的状態が変化するのを防ぐために選択される。
【００１９】
なお、サブエリアはオーバラップすることのないエリアを形成する幾つかのサブエリアから構成されることも可能である。たとえば、サブエリアは、ユーザが文字を入力することが可能である第一のウィンドウ、及び入力文字で始まる単語のリストが表示される第二のウィンドウを有している。
【００２０】
請求項４に記載される本発明に係る実施の形態では、アドレスコントローラは、それらの光学的状態を変化する必要のないサブエリア内の画素にホールド電圧を供給する。これは、それらの光学的状態を変える必要がある画素の光学的状態を変えるための駆動波形を供給することができるため、それらの光学的な状態を変えるべきではない画素にホールド電圧を供給することができるため、サブエリア内の画素が個別にアドレス可能である必要があることを暗黙に意味している。
【００２１】
請求項５に記載される本発明に係る実施の形態では、サブエリアは、矩形窓を有しており、コントローラは、画像の更新周期の間に、矩形窓の画素のラインのみを選択するための選択ドライバを制御する。これらの画素のラインは、連続したグループを形成する。
【００２２】
請求項６に記載される本発明に係る実施の形態では、コントローラは、矩形窓の少なくとも２つの対向するコーナの座標を受信する。コントローラは、サブエリアに関連する選択電極及びデータ電極を座標から決定する。
【００２３】
請求項７に記載される本発明に係る実施の形態では、コントローラは、特定の画像の更新周期の間にそれらの光学的状態を変化する必要がある画素に基づいて、サブエリアの最小の可能な寸法を決定する。これにより、それぞれの画像の更新周期について最も高い可能なリフレッシュレートを得ることが可能である。
【００２４】
代替的に、サブエリアの最小の寸法を定義することが可能である。ここで、特定の画像の更新周期の間に、サブエリアの外に位置する画素であってサブエリアの近くにある画素がそれらの光学的状態を変化する必要があることが検出された場合にのみ、サブエリアが拡大される。さらに、予め決定された時間の周期、たとえば２０ミリ秒の間に、どの画素がそれらの光学的状態を変化させ、これらの画素をまさにカバーしている好ましくは矩形のサブエリアを更新することで、最小の期間をもつ画像の更新周期を提供する必要があるかをチェックすることが可能である。
【００２５】
請求項８に記載される本発明に係る実施の形態では、選択ドライバは、通常完全なディスプレイがアドレス指定されるのと同様なやり方で、１つ毎に選択電極と関連される画素のラインを選択する。
【００２６】
選択電極を１つ毎に選択することで、異なる駆動波形を異なる画素に供給することが可能となる。これにより、ホールド電圧をそれらの光学的な状態を変化する必要のないサブエリア内の画素に提供することが可能である。請求項９に関して考慮されるように、配列されたシェーキングが使用され、シェーキングパルスは、サブエリア内の全ての画素に供給され、したがってそれらの光学的な状態を変化すべきではない画素にさえも供給される。選択電極が１つ毎に選択された場合、それらの光学的な状態を変化すべきではない画素にシェーキングパルスを供給することは全く不可能である。
【００２７】
請求項９に記載される本発明に係る実施の形態では、駆動回路は、電気泳動ディスプレイを駆動する。かかる電気泳動ディスプレイは、少なくとも２つのタイプの異なる粒子を含むマイクロカプセルを有している場合がある。異なる粒子は、異なる光学的特性を有し、異なって帯電される。駆動回路は、画像の更新期間の間、駆動パルスに先行するシェーキングパルスを発生するために構成される。シェーキングパルスの使用は、公開されない特許出願ＥＰ０３１００１３３．２に開示されている。シェーキングパルスは、少なくとも１つのプリセットパルスを有しており、このプリセットパルスは、極端な（extreme）光学的状態のうちの１つに対応する、２つの極端な位置のうちの１つに存在する粒子を解放するために十分なエネルギーであって、極端な光学的状態のうちの他の１つに対応する２つの極端な位置の他の１つに粒子が到達するのを可能にするために不十分なエネルギーを有している。駆動パルスは、画素の中間的な光学状態を決定する。シェーキングパルスの使用は、中間レベルの再生を改善する。
【００２８】
シェーキングパルスは、同じ時間周期の間に、サブエリアの全ての画素について生じるように時間的に配列されるか、又は異なって、シェーキングパルスの間に、サブエリアの全ての画素は同じ時間周期の間に同じ電圧レベルを受ける。これら配列されたシェーキングパルスにより、同時に１を超える選択電極に関連する１を超える画素のラインを選択することが可能である。シェーキングパルスの間、同時にサブエリアに関連する全ての選択電極を選択することが可能であって、これにより、画像の更新周期の期間を大幅に減少することができ、したがって画像のリフレッシュレートを大幅に短縮することができる。同時に、これらの選択電極のサブグループを選択することも可能であり、これにより、より高いリフレッシュレートを提供し、寄生容量の影響を有さないために電力消費量が低減される。これらの選択電極が１つ毎に選択される場合、最小ピークの電力消費量が達成される。駆動周期の間、駆動電圧がサブエリアの画素に供給されるとき、駆動電圧が異なる画素について異なるため、サブエリアに関連される選択電極が１つ毎に選択される必要がある。
【００２９】
この駆動スキームでは、シェーキングパルスは、サブエリア内のそれぞれの画素に供給されることが留意される必要がある。ホールド電圧をそれらの光学的状態を変化しないサブエリアの画素に供給することが望まれる場合、選択電極は、ホールド電極をそれらの光学的状態を変化すべきではない選択された画素に供給するのを可能にするため、及びシェーキングパルスをもつ複雑な駆動波形をそれらの光学的状態を変化すべき画素に供給するのを可能にするため、１つ毎に選択されるべきである。
【００３０】
請求項１０に記載される本発明に係る実施の形態では、コントローラは、第一の表示モードで、サブエリアの画素を更新するために駆動回路を制御する。選択ドライバは、サブエリアに対応する画素のラインを選択する。コントローラは、第二の表示モードで、完全な表示領域であるか又はサブエリア外のエリアである第二のエリアを更新するために駆動回路を制御する。選択ドライバは、完全な表示領域又はサブエリア外のエリアに対応する画素のラインを選択する。
【００３１】
結果的に、サブエリアについて選択電極のサブセットのみが選択される必要があり、サブエリアの第一の画像の更新周期は、第二のエリアの第二の画像の更新周期よりも短い。結果的に、サブエリアのリフレッシュレートは、第二のエリアのリフレッシュレートよりも高い。
【００３２】
請求項１１に記載される本発明に係る実施の形態では、完全な表示又はサブエリア外の画素が更新される場合、画素は１つ毎にアドレス指定される。これは、それらの光学的状態を変化すべきでない画素のみがホールド電圧を受けるという利点を有する。これらの画素には駆動波形が供給される必要がない。電気泳動ディスプレイの駆動スキームにおいて、配列されたシェーキングパルスが使用される場合であっても、それぞれの画素がその個々のデータ電圧を受けることが可能であるため、画素は１ラインずつである。
【００３３】
請求項１２に記載される本発明に係る実施の形態では、駆動回路は、少なくとも２つのタイプの異なる粒子を含むマイクロカプセルを有する電気泳動ディスプレイを駆動する。異なる粒子は、異なる光学的特性を有し、異なって帯電する。駆動回路は、更なる画像の更新周期の間、駆動パルスに先行するシェーキングパルスを発生するために構成される。シェーキングパルスの使用は、公開されていない特許出願ＥＰ０３１００１３３．２に開示されている。シェーキングパルスは、完全な表示領域又は同じ時間周期の間にサブエリア外のエリア（両者共に第二のエリアと呼ばれる）の全ての画素について、第二の表示モードの間に生じるように整列される。これら整列されたシェーキングパルスにより、同時に１を超える選択電極に関連される１を超える画素のラインを選択することができる。シェーキングパルスの間、同時に第二のエリアと関連される全ての選択電極を選択することが可能であり、これにより更なる画像の更新周期の期間を大幅に減少することができ、したがって画像のリフレッシュレートを大幅に短縮化することができる。また、同時にこれらの選択電極のサブグループを選択することが可能であり、これにより、より高いリフレッシュレートを提供することができ、寄生容量が影響を及ぼさないために電力消費量を低減することができる。これらの選択電極が１つ毎に選択された場合に、最小ピークの電力消費量が達成される。駆動周期の間、駆動電圧が第二のエリアの画素に供給されたとき、第二のエリアに関連される選択電極は、駆動電圧が異なる画素について異なる場合があるため１つ毎に選択される。
【００３４】
請求項１３に記載される本発明に係る実施の形態では、第一の表示モードで、ディスプレイスクリーンのサブエリアにおける情報のみが更新される必要がある。第二の表示モードでは、ディスプレイの完全な表示領域又はサブエリア外のエリアである第二のエリアにおける情報が更新される必要がある。サブエリアの寸法は、情報が画像の更新周期の間にリフレッシュされる必要があるディスプレイの小部分のみをカバーするために制御される。このようにして、サブエリアにおける情報のリフレッシュレートが増加される。第一の表示モードの間に、第二のエリアにおける光学的な状態遷移よりも短い画像の更新周期を必要とする光学的な状態遷移を更に使用することで、リフレッシュレートが更に高くなる。画像の更新周期の期間は、特定の光学的な遷移を得るために必要とされる駆動波形により決定される。
【００３５】
このように、第二のエリアにおける情報をリフレッシュするのと比較して、比較的高いレートでサブエリアにおける情報をリフレッシュすることが可能である。第二のエリア又は完全な表示について可能なリフレッシュレートよりも高いレートで第一のエリアに表示される情報が変化する場合、第一のエリアにおける更に高いリフレッシュレートが重要である場合がある。応用の例は、第二のエリア（バックグランドエリア）に比較的緩やかに変化する画像を示すことができ、ユーザ入力に応じて比較的高速に更新されるべき第一のエリア（バックグランドエリアに重なるウィンドウ）にテキスト情報を表示する表示装置である。
【００３６】
なお、サブエリアはオーバラップすることのないエリアを形成する幾つかのサブエリアから構成される。たとえば、サブエリアは、ユーザが文字を入力可能な第一のウィンドウと入力文字で始まる単語のリストが示される第二のウィンドウとを有している。
【００３７】
請求項１４に記載される本発明に係る実施の形態では、サブエリアでは、２つの極端な光学的状態のみを使用することで情報が表示される。２つの極端な光学的状態は、リセットパルスのみを含んでいる場合がある比較的短い駆動波形で正確に得ることができる。画像の更新周期は、比較的短く、比較的高いリフレッシュレートが可能である。
【００３８】
請求項１５に記載される本発明に係る実施の形態では、第二のエリアでは、極端な２つの光学的な状態の間にある光学的な状態を得ることが可能とされる情報が表示される。ここで、極端な光学的状態のうちの１つから開始する中間レベルを決定する駆動パルスが必要とされる。このように、第二のエリアのアドレス指定のために必要とされる画像の更新時間は、比較的長い。
【００３９】
好ましくは、第二のエリアでは、表示のために利用可能な可能性のある光学的状態のいずれかを得ることが可能とされる情報が表示され、これにより第二の画像の更新周期は、最大の期間を有する必要がある。  
本発明のこれらの態様及び他の態様は、以下に記載される実施の形態を参照して明らかにされるであろう。
【発明を実施するための最良の形態】
【００４０】
異なる図では、同じ参照符号は同じアイテムを示すために使用される。  
図１は、ドライバ１０１及び双安定マトリクス型ディスプレイ１００をもつ表示装置を概念的に示している。マトリクス型ディスプレイ１００は、選択電極１７及びデータ電極１１の交点に関連する画素１８を有している。通常、選択電極１７は、行方向に延び、行電極と呼ばれ、データ電極１１は、列方向に延び、列電極と呼ばれる。通常、双安定マトリクス型ディスプレイ１００は、選択電極１７の選択電圧により制御される（図５に図示され、図１には図示されない）トランジスタ１９を有するアクティブマトリクス型ディスプレイである。導通のトランジスタ１９を得るためにドライバ１０１（図５の選択ドライバ１６）が選択電圧をこの特定の選択電極１７の１つに供給する場合、制御入力が選択電極１７のうちの特定の１つに接続される特定の画素１８の行が選択される。データ電極１１上のデータ電圧は、導通したトランジスタ１９を介してこの選択された画素１８の行に供給される。ドライバ１０１が非導通のトランジスタ１９を得るために選択電圧を供給する場合、他の選択電極１７に関連する他の画素１８の行は選択されない。データ電極１１上のデータ電圧は、トランジスタ１９が非導通であるため、これら選択されていない画素１８の行にわたる電圧に影響を及ぼすために使用不可能である。
【００４１】
図１は、マトリクス型ディスプレイ１００のディスプレイスクリーン上の第一のエリアＷ１、及びディスプレイスクリーン上の第二のエリアＷ２を示している。例を通して、第一のエリアＷ１は、矩形窓であり、第二のエリアＷ２は、ウィンドウＷ１内にない全ての画素１８を有している。第一のエリアＷ１は、第一のエリアＷ１がディスプレイ１００の完全な表示領域よりも小さいことを示すため、サブエリアＷ１とも呼ばれる。第二のエリアＷ２は、ディスプレイ１００の完全な表示領域、又はサブエリアＷ１外のディスプレイ１００のエリアを示す場合がある。
【００４２】
通常、完全なディスプレイ１００の画素１８の光学的な状態は、画像の更新周期ＩＵＰの間に更新される。通常、画像の更新周期ＩＵＰの間、駆動回路１０１は、１行毎に画素１８の行を選択する。駆動回路１０１は、データ電極１１を介して並列に選択された行の画素１８に駆動波形を更に供給する。
【００４３】
特定の画素１８の駆動波形は、この画素１８により作られるべき光学的な状態に依存する。これは、図６に関して電気泳動ディスプレイについて例示される。通常、ディスプレイ１００の全ての画素１８が更新される必要があるため、及びそれぞれの１８の光学的な遷移は任意であるので、画像の更新周期ＩＵＰは、最も長い画像の更新周期ＩＵＰにより決定される。なお、図６に示される駆動波形は、フレーム周期ＴＦのシーケンスを含んでいる。それぞれのフレーム周期の間、全ての画素１８が更新される必要がある（実際、それぞれの画素１８は、画素１８の所望の光学的遷移を得るために必要とされる駆動波形を受信する）。したがって、それぞれのフレーム周期ＴＦの間、全ての画素１８の行は、行毎に選択される必要があり、ドライバ１０１は、それぞれ選択された画素１８の行に並行して、データ電極１１を介して適切なレベルの駆動電圧波形を供給する。画素１８の行は、容量性の画素１８が適切なレベルにまで十分に帯電されるのを可能にするため最小の時間の間で選択されるべきである。フレーム周期ＴＦの期間は、この最小の時間と選択される必要がある行数とにより決定される。このように、駆動波形の期間は、特定の光学的な遷移のために必要とされる駆動波形、及びフレーム周期ＴＦの期間に依存する。
【００４４】
ディスプレイ１０１のサブエリアＷ１に関連される画素１８のグループのみが更新される必要があり、サブエリアＷ１に関連する画素１８の行は、画像の更新周期ＩＵＰの間に選択される必要がある。全ての画素１８の行が選択される必要が少なくなるため、フレーム周期ＴＦは短くなり、したがって駆動波形の期間が短くなる。このように、全ての画素１８の行が選択される必要がある、第二のエリアＷ２のために必要とされる画像の更新周期ＩＵＰよりも短い画像の更新周期ＩＵＰで、サブエリアＷ１内の画像を更新することが可能である。結果的に、サブエリアＷ１に表示される情報のリフレッシュレートは、第二のエリアＷ２に表示される情報のリフレッシュレートよりも高い。
【００４５】
画素１８が更新される必要があることに基づいてサブエリアＷ１の寸法が連続的に制御される場合、サブエリアＷ１のリフレッシュレートは最も高い。サブエリアＷ１のサブエリアにおける画素１８がそれらの光学的状態を変化する必要があることが既知であるか決定された場合、次の画像の更新周期ＩＵＰの間、サブエリアＷ１は、それらの光学的な状態を変化する必要がある画素１８のみをカバーするための小さな寸法を取る。ここで、画素１８の行が選択される必要がなく、画像の更新周期ＩＵＰは更に減少される。画像の更新周期当たりのサブエリアＷ１の寸法の動的な制御により、サブエリアＷ１における情報の表示に関する最大のリフレッシュレートが可能となる。
【００４６】
制御回路又はプロセッサ１５は、到来するデータＤＩを列電極により供給されるべきデータ信号にはじめに処理し、画素１８をアドレス指定するために駆動回路１０１を制御するため、これらのデータ信号及びタイミング信号を制御信号ＣＳとして供給する。表示モードに依存して、制御回路１５は、ディスプレイの全ての画素１８をアドレス指定するため、又はサブエリアＷ１の画素１８をアドレス指定するため、制御信号を供給する。
【００４７】
駆動ライン１２は、列ドライバ１０と行ドライバ１６との間の相互の同期を制御する信号を搬送する。
【００４８】
図２は、ディスプレイスクリーン上の異なるエリアを示している。ここで、サブエリアＷ１は、２つのエリアＷ１１及びＷ１２を有している。第二のエリアＷ２は、第一のエリアＷ１１，Ｗ１２によりカバーされないディスプレイスクリーンのエリア、又はディスプレイスクリーンの全体のエリアをカバーする。エリアＷ１２は、ユーザにより入力された文字の系列を示す矩形エリアである。この例では、ユーザは文字列ｆａを入力している。エリアＷ１１は、文字列ｆａで始まる単語のリストを示す矩形領域である。エリアＷ２は、バックグランド情報を示しており、たとえば、グレイ画像によるコメディブックのページ、単語“ｆａｂｕｌｏｕｓ”を構成するテキストであり、これはユーザに知られていない。ユーザは、Ｗ１２にｆａをタイプすることを始める。ｆａで始まる多くの単語がＷ１１に一覧される。Ｗ１１及びＷ１２は、矩形である必要はないが、これは、エリアの画素１８のアドレス指定を複雑にする。
【００４９】
ウィンドウＷ１２に表示されるべき文字をユーザが入力したとき、ユーザは即座のリアクションを得ることが重要である。実際、ユーザは、そのタイプアクションに関する即座の応答を期待する。しかし、６００行の画素をもつ完全な電気泳動ディスプレイを更新するための画像の更新周期ＩＵＰは、０．６〜１．１秒のオーダにあり、即座の応答のために長すぎる。しかし、検出されたユーザ入力に応答して、サブエリアＷ１２における情報のみが更新された場合、数行の画素１８が画像の更新周期ＩＵＰの間にアドレス指定される必要があり、画像の更新周期ＩＵＰは、高いリフレッシュレートを達成するため、従って入力に関する高速の応答を達成するために十分に短い。ユーザ入力が１ラインを超える場合、情報が更新される必要があるウィンドウＷ１２の寸法は、入力のラインをカバーするために拡大される。さらに、１ラインの文字のみが入力されたときよりも低いが、リフレッシュレートは比較的高い。ユーザが新たな情報を入力することを再び始めた場合、数文字のみが入力され、ウィンドウＷ１２の寸法は、最大のリフレッシュレートを得るために次の画像の更新周期の間に画素１８の光学的な状態が変化する必要がある、新たなサブエリアを適合させるために小さく選択される。同じやり方で、入力された文字に応答して情報が表示されるウィンドウＷ１１の寸法は、実際の情報量でスケーリングされる。たとえば、図示される５つの単語が次の画像の更新周期ＩＵＰの間に表示されるべき全ての単語である場合、サブエリアＷ１１に関連する画素１８の行のみがアドレス指定される必要がある。より少ない単語が表示される必要がある場合、ウィンドウＷ１１は、表示されるべき少ない数の単語をカバーするために小さく、ウィンドウＷ１１における情報を更新するために必要とされる時間は短く、ユーザの入力に関する反応速度が改善される。
【００５０】
このように、次の画像の更新周期ＩＵＰの間に、画素１８の光学的状態が変化すべき事に関する情報に基づいて画素１８が更新されるサブエリアの寸法の制御は、ディスプレイ１００で変化されるべき実際の情報について最大のリフレッシュレートを提供する。双安定ディスプレイにおいて、画素１８に電圧が印加されない場合に比較的長い時間周期について情報が保持されるため、他の画素１８がアドレス指定される必要がない。かかる駆動スキームは、双安定の挙動を有さないディスプレイでは不可能である。これら他のディスプレイは、画素電圧を更新することなしに、変化されない比較的長い時間周期について情報を表示するために使用不可能である。
【００５１】
たとえば、１つの入力された文字を含むため、サブエリアＷ１の最小の寸法を固定することは可能である。すなわち、たとえば、ユーザ入力が少なくとも１つの文字を含むことを知っているかに関連する。このように、画素１８のうちの１つがその光学的状態を変化する必要があるかを個々の画素に関してチェックすることが必要とされない。どの位多くの文字がユーザにより入力されたかがチェックされる。最小のサブエリアの開始位置が既知である場合、実際に更新される必要があるサブエリアは、検出された文字数又はワード数から決定することができる。
【００５２】
図３は、オーバリセットが使用される異なる状況で画素にわたる駆動電圧波形を示している。例を通して、図３は、黒色及び白色粒子をもち、ブラックＢ，ダークグレイＤＧ，ライトグレイＬＧ、ホワイトＷといった４つの光学的状態をもつ電気泳動ディスプレイに基づいている。
【００５３】
図３Ａ及び図３Ｂは、ディスプレイ１００の画素１８の全ての行が完全なディスプレイエリアを更新するために選択される必要があるとき、異なる駆動波形を示している。図３Ｃ及び図３Ｄは、画素１８の行のサブセットのみがディスプレイ１００のサブエリアＷ１を更新するために選択される必要があるとき、同じ時間スケールでの対応する波形を示している。
【００５４】
図３Ａは、ライトグレイＬＧ又はホワイトＷからダークグレイＤＧへの遷移について画像の更新周期ＩＵＰを示している。図３Ｂは、ダークグレイＤＧ又はブラックＢからダークグレイＤＧへの遷移について画像の更新周期ＩＵＰを示している。垂直の破線は、（通常２０ミリ秒続く）フレーム周期ＴＦを表し、フレーム周期ＴＦ内で生じるライン周期は示されていない。１フレーム周期ＴＦ内で、全ての画素１８の行が選択される。
【００５５】
図３Ａ及び図３Ｂの両者では、画素１８にわたる画素電圧ＶＤは、連続した第一のシェーキングパルスＳＰ１１，ＳＰ１１’、リセットパルスＲＥ１，ＲＥ１’、第二のシェーキングパルスＳＰ１２，ＳＰ１２’、及び駆動パルスＤＰ１，ＤＰ１’を有している。駆動パルスＤＰ１，ＤＰ１’は、瞬間ｔ７から瞬間ｔ８まで続く同じ駆動周期ＴＤ１の間に生じる。第二のシェーキングパルスＳＰ１２，ＳＰ１２’は、駆動パルスＤＰ１，ＤＰ１’の直前にあり、瞬間ｔ６からｔ７に続く同じ第二のシェーキング周期ＴＳ１２の間に生じる。リセットパルスＲＥ１，ＲＥ１’は、第二のシェーキングパルスＳＰ１２，ＳＰ１２’の直前にある。しかし、リセットパルスＲＥ１，ＲＥ１’のそれぞれの異なる期間ＴＲ１１，ＴＲ１１’のため、リセットパルスＲＥ１，ＲＥ１’のそれぞれの開始の瞬間ｔ３及びｔ５が異なる。リセットパルスＲＥ１，ＲＥ１’のそれぞれの直前にある第一のシェーキングパルスＳＰ１１，ＳＰ１１’は、時間ＴＳ１１，ＴＳ１１’のそれぞれにおける異なる第一のシェーキング周期の間に生じる。第一のシェーキング周期ＴＳ１１は、瞬間ｔ０から瞬間ｔ３まで続き、第一のシェーキング周期ＴＳ１１’は、瞬間ｔ４から瞬間ｔ５まで続く。
【００５６】
図３Ｃ及び図３Ｄの両者において、画素１８にわたる画素電圧ＶＤは、連続して、第一のシェーキングパルスＳＰ２１，ＳＰ２１’、リセットパルスＲＥ２，ＲＥ２’、第二のシェーキングパルスＳＰ２２，ＳＰ２２’、及び駆動パルスＤＰ２，ＤＰ２’を有している。駆動パルスＤＰ２，ＤＰ２’は、瞬間ｔ７’から瞬間ｔ８’まで続く同じ駆動周期ＴＤ２の間に生じる。第二のシェーキングパルスＳＰ２２，ＳＰ２２’は、駆動パルスＤＰ２，ＤＰ２’の直前にあり、瞬間ｔ６’から瞬間ｔ７にまで続く同じ第二のシェーキング周期ＴＳ２２の間に生じる。リセットパルスＲＥ２，ＲＥ２’は、第二のシェーキングパルスＳＰ２２，ＳＰ２２’の直前にある。しかし、リセットパルスＲＥ２，ＲＥ２’のそれぞれの異なる期間ＴＲ２１，ＴＲ２１’のため、リセットパルスＲＥ２，ＲＥ２’の開始瞬間ｔ３’及びｔ５’が異なる。リセットパルスＲＥ２，ＲＥ２’のそれぞれの直前にある第一のシェーキングパルスＳＰ２１，ＳＰ２１’は、時間ＴＳ２１，ＴＳ２１’のそれぞれにおける異なる第一のシェーキング周期の間に生じる。第一のシェーキング周期ＴＳ２１は、瞬間ｔ０’から瞬間ｔ３’まで続き、第一のシェーキング周期ＴＳ２１’は、瞬間ｔ４’から瞬間ｔ５’にまで続く。
【００５７】
したがって、画素１８に供給される駆動波形の形状は、完全な表示領域を更新するとき、又はサブエリアＷ１のみを更新するとき、同じ光学的な遷移について同じである。しかし、これらの異なるエリアを更新するために必要とされる時間が異なる。フレーム周期ＴＦ１は、フレーム周期ＴＦ２よりも長く続く。それぞれのフレーム周期ＴＦ１の間、ディスプレイ１００の全てのラインは、ディスプレイ１００の全ての画素１８に駆動波形を供給可能であるためにアドレス指定される必要がある。フレーム周期ＴＦ２の間、サブエリアＷ１のラインのみがアドレス指定される必要がある。
【００５８】
この駆動スキームでは、異なる画素１８が異なる光学的遷移を実行する必要があり、異なる光学的な遷移を得るために異なる駆動波形が必要とされるので、画素１８が個別にアドレス指定されるべきである。サブエリアＷ１の外側で、図３Ａ及び図３Ｂに示されるように、異なる波形が必要とされ、サブエリアＷ１の内側で、図３Ｃ及び図３Ｄに示されるように、異なる波形が必要とされる。画素１８は、選択電極１７が１つ毎に選択される場合、個別にアドレス指定可能である。この駆動スキームでは、サブエリアＷ１外のシェーキングパルス（図３ＡにおけるＳＰ１１，ＳＰ１２）、及び／又はサブエリアＷ１内のシェーキングパルス（図３ＣにおけるＳＰ２１，ＳＰ２２）は、それらの光学的状態を変化させる必要のないサブエリアＷ１の外側及び内側の画素（１８）に供給されない。これら最後に言及される画素について、画素（１８）の光学的な状態に影響を与えることができない他の電圧パルスが供給されない。たとえば、現在の光学的な状態がダークグレイＤＧであり、その後の画像が同じ画素（１８）の光学的な状態がダークグレイＤＧであることを必要とする場合、更新が必要とされず、ホールド電圧がこの画素１８に供給されるべきではなく、すなわち、この画像の更新周期の間に、画像を変化させることのできる駆動波形は、意図的に供給されない。通常、ホールド電圧は、実質的にゼロである。
【００５９】
しかし、別の駆動スキームでは、全ての画素１８について等しい駆動波形の一部を全ての選択された画素１８に提供することが可能である。同じ電圧を全ての選択された画素１８に供給するため、選択電極１７のサブグループ又は全ての選択電極１７を同時に選択することが可能である。このことは、たとえば、サブエリアＷ１外のシェーキングパルスＳＰ１２及びＳＰ１２’の間、サブエリアＷ１内のシェーキングパルスＳＰ２２及びＳＰ２２’の間に可能である。シェーキングパルスＳＰ１１及びＳＰ１１’、並びにシェーキングパルスＳＰ２１及びＳＰ２１’が揃えられる場合（図６参照）、これらのシェーキングパルスの間に同じ電圧を選択された画素１８に供給することも可能である。
【００６０】
しかし、図３Ｃ及び図３Ｄに示される駆動波形以外に、それらの光学的状態を変化すべきではないサブエリアＷ１内の画素１８にホールド電圧を供給することが望まれる場合、時間的に揃えられたシェーキングパルスをサブエリアの全ての画素１８に供給することは不可能である。
【００６１】
図４は、たとえば明確さを高めるため、数個の表示素子のみのサイズを有している電気泳動ディスプレイの一部の断面図を概念的に示している。電気泳動ディスプレイは、ベース基板２、たとえばポリエチレンからなる２つの透明基板３及び４との間に存在する電子インクをもつ電気泳動フィルムを有している。一方の基板３には、透明の画素電極５，５’が設けられており、他方の基板４には、透明の対向電極６が設けられている。対向電極６は、セグメント化されている場合もある。電子インクは、約１０〜５０ミクロンの多数のマイクロカプセル７を有している。それぞれのマイクロカプセル７は、液体４０に浮遊されている正に帯電された白色粒子８及び負に帯電された黒色粒子９を有している。破線の材料４１は、高分子バインダーである。層３は、必ずしも必要ではなく、グルーレイヤである。画素１８にわたる画素電圧ＶＤ（図５参照）は、対向電極６に関して画素電極５，５’に正の駆動電圧として供給され、対向電極６に向けられるマイクロカプセル７の側に白色粒子８を移動する電場が生成され、表示素子は、見る人にとって白に見える。同時に、黒色粒子９は、マイクロカプセル７の反対側に移動し、ここで、黒色粒子は見る人から隠される。画素電極５，５’と対向電極６との間に負の駆動電圧を印加することで、黒色粒子９は、対向電極６に向けられるマイクロカプセル７の側に移動し、表示素子は、見る人（図示せず）にとって暗く見える。電場が除かれたとき、粒子８，９は、取得された状態のままであり、したがって、ディスプレイは双安定の特性を示し、実質的に電力を消費しない。電気泳動媒体は、たとえば、ＵＳ５，９６１，８０４号、ＵＳ６，１１２０，８３９号及びＵＳ６，１３０，７７４号から知られており、Ｅ−ｉｎｋ社から得られる場合がある。
【００６２】
図５は、電気泳動ディスプレイの一部に関する等価回路図による画像表示装置を概念的に示している。画像表示装置１は、アクティブスイッチング素子１９が設けられたベース基板２に張り合わされた電気泳動フィルム、行ドライバ１６及び列ドライバ１０を有している。好ましくは、対向電極６は、カプセル化された電気泳動インクを有するフィルムに設けられているが、対向電極６は、インプレーンの電場での使用に基づいてディスプレイが動作する場合にベース基板に代替的に設けられる。通常は、アクティブスイッチング素子１９は、薄膜トランジスタＴＦＴである。ディスプレイデバイス１は、行又は選択電極１７と列又はデータ電極１１からなる交点に関連する表示素子のマトリクスを有している。行ドライバ１６は、行電極１７を連続して選択し、列ドライバ１０は、列電極１１に並行して、選択された行電極１７に関連する画素１８にデータ信号Ｖｄを提供する。好ましくは、プロセッサ１５は、はじめに、到来するデータ１３を列電極１１により供給されるべきデータ信号に処理する。
【００６３】
駆動ライン１２は、列ドライバ１０と行ドライバ１６との間に相互の同期を制御する信号を搬送する。
【００６４】
行ドライバ１６は、適切な選択パルスＶｓをＴＦＴ１９のゲートに供給し、このＴＦＴは、関連するＴＦＴ１９の低インピーダンスの主要な電流経路を得るため、特定の行電極１７に接続される。他の行電極１７に接続されるＴＦＴ１９のゲートは、それらの主要な電流経路が高いインピーダンスを有するように電圧Ｖｓを受ける。ＴＦＴのソース電極２１とドレイン電極との間の低インピーダンスにより、列電極１１に存在するデータ電圧Ｖｄが画素１８の画素電極２２に接続されるドレイン電極に供給されるのを可能にする。このように、列電極１１に存在するデータ信号Ｖｄは、そのゲート上の適切なレベルＶｓによりＴＦＴが選択された場合、ＴＦＴのドレイン電極に結合される画素又は表示素子１８の画素電極２２に転送される。図示される実施の形態では、図１のディスプレイデバイスは、それぞれの表示素子１８の位置で更なるキャパシタ２３を備えている。この更なるキャパシタ２３は、画素電極２２と１以上のストレージキャパシタライン２４との間で接続される。ＴＦＴの代わりに、ダイオード、ＭＩＭ等のような、他のスイッチング素子を使用することもできる。
【００６５】
画素１８の他の電極は、共通電極６に接続される。画素電極５，５’と共通電極６との間の電圧ＶＤは、画素１８の光学的な状態を決定する。
【００６６】
図６は、本発明の実施の形態に係るディスプレイスクリーン上の完全な領域又はディスプレイスクリーン上のサブエリアを更新するための駆動電圧を示している。図６Ａは、ホワイトＷからダークグレイＤＧへの光学的な遷移のための駆動波形を示している。図６Ｂは、ライトグレイＬＧからダークグレイＤＧへの光学的な遷移のための駆動波形を示している。図６Ｃは、光学的状態をダークグレイＤＧに保持するための駆動波形を示している。図６Ｄは、ブラックＤからダークグレイＤＧへの光学的な遷移のための駆動波形を示している。他の遷移について、同様に駆動波形が必要とされる。たとえば、ホワイトＷからブラックＢへの遷移について、図６Ａの波形の一部が使用されているが、ＤＰ＝０Ｖである。
【００６７】
図６は、画素１８にわたる駆動電圧ＶＤが同じ時間周期の間に生じるシェーキングパルスＳＰ１，ＳＰ２を有し、オーバリセットが使用されない場合、ダークグレイＤＧへの全ての光学的遷移について駆動波形が示されている。代替的に、オーバリセットが使用されるか、又は第一のシェーキングパルスＳＰ１の終了とリセットパルスＲＥの開始とが実質的に一致する駆動電圧波形が使用される場合がある。後者のケースでは、画像の更新周期ＩＵＰの期間は、光学的遷移に依存し、異なる光学的な状態の遷移について、駆動波形においてシェーキングパルスＳＰ１とシェーキングパルスＳＰ２の両者を揃えることが不可能である。ダークグレイＤＧ以外への光学的な遷移のための駆動波形は、類似の形成を有する。
【００６８】
リセットパルスＲＥに先行するシェーキングパルスＳＰ１と、リセットパルスＲＥと駆動パルスＤＰとの間でのシェーキングパルスＳＰ２との両者の使用は、グレイスケールの再現性を改善する。グレイスケールは、駆動電圧の履歴により影響されない。必要とされる光学的な遷移とは独立にそれぞれの画像の更新周期ＩＵＰの間に、シェーキングパルスＳＰ１及びＳＰ２が同時に生じるように、該シェーキングパルスＳＰ１及びＳＰ２のアレイメントは、電力効率が増加するという利点を有する。これは、シェーキングパルスＳＰ１，ＳＰ２のそれぞれのプリセットパルスについて、全ての画素１８のラインを同時に選択し、同じデータ信号レベルを全ての画素１８に供給することが可能なためである。画素１８と電極１１，１７との間のキャパシタンスの作用が減少する。さらに、全ての画素１８が同時に選択される場合があるので、シェーキングパルスＳＰ１，ＳＰ２のプリセットパルスの期間は、標準的なフレーム周期ＴＦよりも非常に短くなる場合があり、これによって画像の更新周期ＩＵＰが短縮化される。これは、欧州特許出願として提出されている、公開されていない特許出願ＰＨＮＬ０３０５２４に更に詳細に開示されている。
【００６９】
図６Ａ〜図６Ｄでは、第一のシェーキングパルスＳＰ１は、同じ第一のシェーキング周期ＴＳ１の間に生じ、第二のシェーキングパルスＳＰ２は、同じ第二のシェーキング周期ＴＳ２の間に生じ、さらに、駆動パルスＤＰは、同じ駆動周期ＴＤの間に生じる。駆動パルスＤＰは、異なる期間を有する場合がある。リセットパルスＲＥは、画素１８の光学的な遷移に依存する長さを有する。たとえば、パルス幅変調駆動では、完全なリセットパルス幅ＴＲは、ホワイトＷからブラックＢへ、又はホワイトＷからダークグレイＤＧに画素１８をリセットするために必要とされる。図６Ａを参照されたい。ライトグレイＬＧからブラックＢに、又はライトグレイＬＧからダークグレイＤＧに画素１８をリセットするため、この完全なリセットパルス幅ＴＲの３分の２のみが必要とされる。図６Ｂを参照されたい。ダークグレイＤＧからブラックＢ又はダークグレイＤＧに画素１８をリセットするため、この完全なリセットパルス幅ＴＲの３分の１のみが必要とされる。図６Ｃを参照されたい。ブラックＢからダークグレイＤＧに画素１８をリセットするため、リセットパルスＲＥは必要とされない。図６Ｄを参照されたい。
【００７０】
これらの波形は、前の画像が次の画像のインパルス（時間ｘ電圧）を決定するのに考慮される、公知の遷移マトリクスに基づいた駆動方法が使用されるときに有効である。代替的に、これらの波形は、ディスプレイで使用される電気泳動材料が画像の履歴及び／又は休止時間に対して感度が低いときにも有効である。
【００７１】
したがって、結論付けると、リセットパルスＲＥの期間とは独立に、第一のシェーキングパルスＳＰ１及び第二のシェーキングパルスＳＰ２は、全ての画素１８に同時に供給される。
【００７２】
なお、光学的な状態であるブラックＢ、ダークグレイＤＧ、ライトグレイＬＧ及びホワイトＷを表示することができるディスプレイでは、画像の更新周期ＩＵＰは、同じ期間を常に有する。しかし、正確なグレイレベルを表示するために最適化される表示装置では、画像の更新周期ＩＵＰは比較的長い。本発明の実施の形態は、全ての利用可能な光学的状態を使用するために必要とされない、ディスプレイスクリーンの特定のサブエリアＷ１１，Ｗ１２で情報が表示される場合、より短い画像の更新周期ＩＵＰを必要とする状態を選択することが可能であるという洞察に基づいている。
【００７３】
たとえば、サブエリアＷ１１，Ｗ１２における光学的な状態の更に高い精度、好ましくは極端な光学的状態のみが必要とされる場合、たとえばブラックＢ及びホワイトＷが選択される。サブエリアＷ１１，Ｗ１２では、図７Ａに示される駆動電圧波形ＤＶ１が使用される場合がある。エリアＷ２における画像の更新のため、図７Ｃに示される非常に長く続く電圧波形が使用され、高い精度で中間の光学的状態を表示することが可能である。
【００７４】
図６Ａは、フレーム周期ＴＦが図３Ａのフレーム周期ＴＦ１に等しい場合、図３Ａに示される同じ駆動波形を示している。図６Ａは、フレーム周期ＴＦが図３Ｃにフレーム周期ＴＦ２に等しい場合、図３Ｃに示される同じ駆動波形を示している。図６Ｃは、フレーム周期ＴＦが図３Ａのフレーム周期ＴＦ１に等しい場合、及び第二のシェーキングパルスＳＰ２が時間的に揃えられる場合、図３Ｂに示される駆動波形を示している。図６Ｃは、フレーム周期ＴＦが図３Ａのフレーム周期ＴＦ１に等しい場合、及び第二のシェーキングパルスが時間的に揃えられる場合、図３Ｄに示されるような同じ駆動波形を示している。図６Ｂ及び図６Ｄは、他の光学的遷移について更なる駆動波形を示している。
【００７５】
ここで、第一及び第二のシェーキングパルスＳＰ２は、同じ第二のシェーキング周期ＴＳ１，ＴＳ２のそれぞれの間に、それぞれの画素１８について生じる。これは、時間選択アドレス指定で通常の行が印加される場合、より低い電力消費を生じさせる。完全なディスプレイがアドレス指定され、第一のシェーキング周期ＴＳ１の間及び第二のシェーキング周期ＴＳ２の間、全ての画素１８の行が１行毎に選択される場合、完全なフレーム周期ＴＦの間に常に同じ電圧レベルが印加される。結果的に、たとえば画素間又は電極間にあるディスプレイにおける寄生容量は、影響を及ぼさない。サブエリアＷ１の行のみが１行毎に選択される場合、同じことが言える。フレーム周期ＴＦ１はフレーム周期ＴＦ２よりも短いので、電力消費量における利得は低い。
【００７６】
しかし、代替的に、シェーキングパルスＳＰ１，ＳＰ２のアラインメントは、図６に示されるように、シェーキング周期ＴＳ１，ＴＳ２の期間を非常に短く選択することが可能である。明確さのため、第二のシェーキングパルスＳＰ１，ＳＰ２のレベルのうちのそれぞれ１つは、フレーム周期ＴＦ１，ＴＦ２の間に存在する。実際、シェーキング周期ＴＳ１，ＴＳ２の間、同じ電圧レベルは、それぞれのフレーム周期ＴＦ１，ＴＦ２の間に全ての画素１８に供給することができる。このように、画素１８を１行毎に選択する代わりに、全ての画素１８を一度に選択することができ、フレーム周期の代わりに単一のライン選択周期ＴＬのみがレベル当たり十分である。このように、シェーキング周期ＴＳ１，ＴＳ２は、４つのフレーム周期ＴＦ１又はＴＦ２のそれぞれの代わりに、４つのライン周期ＴＬを続くことが必要である。
【００７７】
代替的に、シェーキング周期ＳＰ１，ＳＰ２の間に同時に画素１８の行のグループを選択することが可能である。これは、シェーキング周期ＴＳ１，ＴＳ２の間、電力消費量を低減し、フレーム周期ＴＦ１，ＴＦ２を減少させる。
【００７８】
駆動パルスＤＰは、一定の期間を有することが示されているが、駆動パルスＤＰは、可変の期間を有している場合がある。
【００７９】
図６に示される駆動方法がシェーキング周期ＴＳ１，ＴＳ２の外側で適用される場合、画素１８は、選択電極１７でスイッチ１９をライン毎にアクチベートすることで行毎に選択される必要がある。選択されたラインの画素１８にわたる電圧ＶＤは、画素１８が有するべき光学的状態に従って列電極１１を介して供給される。たとえば、光学的状態がホワイトＷからダークグレイＤＧに変化する必要がある画素１８の選択された行における画素１８について、正の電圧は、瞬間ｔ０で開始するフレーム周期ＴＦ１，ＴＦ２の間に関連する列電極１１で供給される必要がある。光学的状態がブラックＢからダークグレイＤＧに変化する必要がある画素１８の選択された行における画素１８について、ゼロ電圧は、瞬間ｔ０からｔ１に続くフレーム周期ＴＦ１，ＴＦ２の間に関連する列電極で供給される必要がある。
【００８０】
結論付けると、全体の表示Ｗ２の画像を更新するか又はサブエリアＷ１のみにおける画像を更新するため、同じ駆動電圧波形が使用される場合がある。完全な表示エリアＷ２の更新の間よりも少ない行の画素１８がサブエリアＷ１の更新の間に選択される必要があるため、フレーム周期ＴＦ２は、フレーム周期ＴＦ１よりも短い。結果として、サブエリアＷ１の画像の更新周期は、完全な表示領域Ｗ２についてよりも短い。サブエリアＷ１の画像の更新周期は、サブエリアの寸法がそれらの光学的状態を変化すべき画素１８のみをカバーするためにできるたけ小さく制御される場合に最も短い。
【００８１】
配列されたシェーキングパルスＳＰ１及びＳＰ２の間、画素１８の行は、一度にグループで選択することができる。配列されたシェーキングパルスＳＰ１及びＳＰ２の間のフレーム周期ＴＦ１，ＴＦ２は、異なる画素１８について異なる場合がある駆動波形におけるパルスについてよりも短い。このように、シェーキングパルスＳＰ１，ＳＰ２のアライメントは、表示領域Ｗ２で適用される場合、表示領域Ｗ２についてリフレッシュレートを増加させる。シェーキングパルスＳＰ１，ＳＰ２のアレイメントは、サブエリアＷ１に適用される場合、サブエリアＷ１について画像の更新周期を更に減少させる。
【００８２】
図７は、本発明の実施の形態に係るディスプレイスクリーンの第一又は第二のエリアを更新するために使用される駆動電圧を示している。
【００８３】
ディスプレイ１０１の第一のエリア又はサブエリアＷ１に関連する画素１８のグループのみが更新される必要があり、このサブエリアＷ１に表示されるべき情報が最も長い画像の更新周期ＩＵＰを必要とする光学的な遷移を使用しない場合、最も長い画像の更新周期ＩＵＰよりも短い画像の更新周期ＩＵＰでサブエリアＷ１内の画像を更新することが可能である。結果的に、サブエリアＷ１に表示される情報のリフレッシュレートは、最も長い画像の更新周期ＩＵＰが使用された場合に可能なレートよりも高い。
【００８４】
例を通して、エリア又はウィンドウＷ１１及びＷ１２における情報は、ディスプレイ装置１０１の極端な光学的状態であるブラック及びホワイトに表示される。ブラックＢ又はホワイトＷに画素１８の光学的状態を変化させるのに必要とされる駆動波形の期間は、比較的短い。エリアＷ２における情報は、グレイスケールで表示される。グレイスケールは、２つの極端な光学的状態であるブラック及びホワイト、並びに少なくとも１つの中間（グレイ）状態を通常含んでいる。画素１８の光学的な状態をグレイ状態に変化させるために必要とされる駆動波形は、比較的長い。
【００８５】
図７Ａは、実質的なホワイトＷから実質的にブラックＢに画素１８の光学的状態を変化させるために必要とされる駆動電圧波形ＤＶ１を示している。駆動電圧波形ＤＶ１は、リセットパルスＲＥ１１を有している。リセットパルスＲＥ１１は、リセットパルスＲＥ１１の終了で、画素１８が極端な光学的状態であるブラックＢにあることを保証するに十分な期間を有している場合がある。リセットパルスＲＥ１１は、オーバリセットを得るため、この最小に必要とされる期間よりも長い期間を有する場合がある。駆動波形ＤＶ１がリセットパルスＲＥ１１のみから構成される場合、画像の更新周期ＩＵＰ１１は比較的短い。
【００８６】
図７Ｂは、実質的にホワイトＷから中間状態であるダークグレイＤＧに画素１８の光学的状態を変化させるために必要とされる駆動電圧波形ＤＶ２を示している。この駆動電圧波形ＤＶ２は、駆動パルスＤＰに先行するリセットパルスＲＥ１２を有している。リセットパルスＲＥ１２は、リセットパルスＲＥ１１に等しい場合があり、画素１８の光学的状態を実質的なブラックＢに変化させる。駆動パルスＤＰは、良好に定義された実質的なブラックＢからダークグレイＤＧに光学的状態を変化させる。駆動波形ＤＶ２がリセットパルスＲＥ１２及び更なる駆動パルスＤＰを有するので、画像の更新周期ＩＵＰ１２の期間は、比較的長い。
【００８７】
ディスプレイスクリーンのエリアＷ２において、実質的にホワイトＷから実質的にブラックＢに、及び実質的にホワイトＷからダークグレイＤＧに画素１８の光学的状態が変化することが可能である場合、第二の表示モードの間に画像の更新周期ＩＵＰは、最も長い期間をもつ駆動電圧波形ＤＶ１，ＤＶ２により決定される。このように、画像の更新周期は、リセットパルスＲＥ１２及び駆動パルスＤＰの期間を有するＩＵＰ１２である。
【００８８】
ディスプレイスクリーンのサブエリアＷ１１及びＷ１２において、画素１８の光学的状態が実質的なブラックＢに変化する必要のみがある場合、第一の表示モードの間に画像の更新周期ＩＵＰは、駆動電圧波形ＤＶ１により決定される。このように、画像の更新周期は、ＩＵＰ１１となり、これはリセットパルスＲＥ１のみの期間を有する。
【００８９】
結果的に、エリアＷ１１及びＷ１２における画像のみがリフレッシュされる場合、画像の更新周期はＩＵＰ１であり、これは、エリアＷ２で必要とされる画像の更新周期ＩＵＰ２よりも短い。エリアＷ２における情報のリフレッシュレートに関して比較的高いレートでエリアＷ１１及びＷ１２における情報をリフレッシュすることが可能である。図２における例を通して示される応用では、ユーザの入力を見失わないようにすることが可能である。したがって、劇的に制御される最小の寸法でサブエリアＷ１における情報を更新することと組み合わせて、短い駆動波形ＤＶ１を必要とするサブエリアにおける光学的な状態のみの使用により、最大のリフレッシュレートを提供する。
【００９０】
通常、高い精度で中間のグレイレベルを達成するために必要とされる駆動電圧波形ＤＶ２は、図７Ｂに示されるよりも複雑である。かかる駆動電圧波形ＤＶ３及びＤＶ４は、図７Ｃ及び図７Ｄにおける電気泳動ディスプレイについて示されている。特に、完全な表示領域Ｗ２が更新される第二の表示モードの間、これら複雑な波形が中間のグレイレベルを得るために使用される場合（又はより一般的に、カラーディスプレイにおける中間の光学状態）、画像の更新周期は、サブエリアＷ１のみが更新される第一の表示モードの間の２つの極端な光学的状態のみが使用される場合に大幅に短くなる場合がある。
【００９１】
図７Ｃは、ホワイトＷからダークグレイＤＧへの光学的遷移を得るための複雑な駆動波形を示している。駆動波形は、連続的に、第一のシェーキングパルスＳＰ１、リセットパルスＲＥ１３、第二のシェーキングパルスＳＰ２、及び駆動パルスＤＰを有している。この駆動波形は、第一の表示モードの間に使用されるか、又は第二の表示モードの間に使用されるかに依存して、図３Ａ又は図３Ｃに示される波形と同一である。Ｂで示される垂直の矢印は、光学的な状態であるブラックＢが達成される瞬間を示している。この矢印の右手側へのリセットパルスＲＥ１３の部分は、オーバリセットを示している。この波形ＤＣ３の全体の期間は、ＩＵＰ１３である。図７Ｄは、ホワイトＷからブラックＢへの光学的な遷移を得るための駆動波形を示している。駆動波形は、連続して、シェーキングパルスＳＰ及びリセットパルスＲＥ１４を有している。この波形ＤＶ４の全体の期間は、ＩＵＰ１４である。
【００９２】
かかる光学的な状態遷移のサブセットで表示される場合がある情報のための画像の更新周期を減少するため、２つの極端な光学的な状態以外の別の光学的状態のサブセットを使用することも可能である。関連することは、サブエリアＷ１１，Ｗ１２内で生じる必要がある光学的な状態の遷移のサブセットについて必要とされる駆動電圧波形ＤＶ１の期間が、サブセットにない光学的な状態遷移のための駆動電圧波形ＤＶ２について必要とされる期間よりも短い期間であって、光学的な状態が第二のエリアＷ２で生じる場合がある期間を有する。
【００９３】
全ての光学的状態（ブラックＢ、ダークグレイＤＧ、ライトグレイＬＧ、ホワイトＷ）は、第二のエリアＷ２における画素１８の光学的状態が更新されるとき、第二のディスプレイモードの間に生じる場合があることが仮定されている。結果的に、第二の表示モードの間の画像の更新周期ＩＵＰ２は、最も長い期間をもつ駆動電圧波形により決定される。最も長い期間をもつ駆動電圧波形は、図７Ｃに示されている。
【００９４】
第一の表示モードの間、サブエリアＷ１における画素１８の光学的状態が更新されるとき、ホワイトＷからダークグレイＤＧに遷移をつくることを可能にすることが必要とされない場合、画像の更新周期ＩＵＰは、図７Ｃに示される比較的長い画像の更新周期ＩＵＰにより決定されない。たとえば、光学的状態であるブラックＢ及びダークグレイのみがサブエリアＷ１で使用される場合、画像の更新周期は、図７Ｄに示される駆動波形の期間ＩＵＰにより決定されるか、又はフレーム周期ＴＦがフレーム周期ＴＦ２に等しい図７Ａの期間により決定される。この駆動波形の期間は、図７Ｃ又は図３Ａに示される駆動電圧波形の期間ＩＵＰ１よりも非常に短い。結果的に、第一のエリアＷ１に表示される情報のリフレッシュレートは、第二のエリアＷ２に表示される情報のリフレッシュレートに関して更に増加される。
【００９５】
図８は、本発明の実施の形態に係る双安定ディスプレイを駆動するための制御回路のブロック図を示している。制御回路１５は、任意の光学的状態変化の検出器１５０を有しており、この検出器は、到来データＤＩとも呼ばれる、表示されるべき入力情報を受け、次の画像の更新周期ＩＵＰの間にどの画素１８がそれらの光学的状態を変化する必要があるかを判定する。エリア決定回路１５１は、この画像の更新周期ＩＵＰの間に更新される必要がある画素Ｗ１をカバーするため、サブエリアの寸法を動的に決定する。エリア決定回路１５１の出力信号ＳＡは、たとえば座標を供給することでサブエリアＷ１を示している。アドレスコントローラ１５２は、制御信号ＣＳを供給し、駆動回路１０１を制御して、サブエリアＷ１の画素１８をアドレス指定する。コントローラ１５は、ハードウェア回路又は適切にプログラムされるプロセッサを有する場合がある。
【００９６】
変化状態検出器１５０は、多くの公知のやり方で動作する場合がある。たとえば、変化状態検出器１５０は、表示されるべき前の画像を記憶するためのメモリを有する場合がある。表示されるべき現在の画像は、どの画素がそれらの光学的状態を変化する必要があるかを判定するため、記憶されている画像と比較される。
【００９７】
エリア決定回路１５１は、変化状態検出器１５０から情報を受け、この情報に基づいて、次の画像の更新周期の間にアドレス指定される必要がある画素１８のサブエリアＷ１の寸法を決定するため、画素１８は、それらの光学的な状態を変化する必要がある。好ましくは、サブエリアＷ１の寸法は、それらの光学的状態を変化する必要がある画素１８をカバーするために最小に選択される。しかし、好ましくは、サブエリアは、矩形エリアがマトリクス型ディスプレイでアドレス指定するのが容易であるので、矩形エリアとなるように選択される。矩形エリアは、更新される必要がある全ての画素１８をカバーするために選択される。したがって、矩形エリア内で、画素１８は、更新される必要がない画素１８が生じる場合がある。しかし、矩形の寸法は、それらの光学的状態を変更すべき画素１８をカバーするためにできるだけ小さく選択される。代替的に、エリア決定回路１５１は、たとえば、その領域でユーザがリフレッシュする必要がある情報を入力したことを示す、矩形窓の対向するコーナの座標といった、入力（ＰＩ）を受信する場合がある。
【００９８】
図９は、双安定ディスプレイを駆動するための駆動回路のブロック図を示している。コントローラ／ドライバ２０３は、テーブルルックアップメモリ２００に記憶されるような、グレイスケールの駆動電圧波形２０１及びブラックアンドホワイト駆動電圧波形２０２に関する情報を受ける。コントローラ／ドライバ２０３は、ディスプレイデバイス１００のディスプレイスクリーンのサブエリア又はウィンドウＷ１の２つの対向するコーナの座標ｘ１，ｙ１及びｘ２，ｙ２を更に受信する。ウィンドウＷ１は、第一のエリアとも呼ばれ、第二のエリアＷ２は、第一のエリアＷ１にない画素を含んでいる。
【００９９】
第一の表示モードでは、第一のエリアＷ１の画素１８のみが更新されたとき、コントローラ／ドライバ２０３は、１つ毎に第一のエリアＷ１内の画素１８の行を選択し、ブラックアンドホワイト駆動電圧波形２０２は、第一のエリアＷ１の外側にある画素１８の光学的状態の変化を妨げるため、第一のエリアＷ１内の画素１８に列電極１１を介して供給される。
【０１００】
第二の表示モードでは、第二のエリアＷ２の画素１８のみが更新されるとき、コントローラ／ドライバ２０３は、１つ毎に第二のエリアＷ２内の画素１８の行を選択し、グレイスケールの駆動電圧波形２０１は、第二のエリアＷ２の外側の画素１８の光学的状態の変化を妨げるため、第二のエリアＷ２内の画素１８に列電極１１を介して供給される。
【０１０１】
図９に示される例では、第一の表示モードの間、垂直座標ｙ１とｙ２の間の画素の行が選択され、第二の表示モードの間、全ての行が選択される必要がある。
【０１０２】
第一及び第二のエリアＷ１，Ｗ２の両者で同じ波形を使用することも可能である。異なるブラック及びホワイト及びグレイスケール波形の両者を記憶することは必要とされない。
【０１０３】
先に記載された実施の形態は、本発明を限定するよりはむしろ例示するものであって、当業者であれば、特許請求の範囲から逸脱することなしに多くの代替的な実施の形態を設計することができるであろう。実施の形態は、電気泳動ディスプレイにかんして更に詳細に例示されているが、同じアプローチは、他の双安定ディスプレイについて有効である場合がある。
【０１０４】
図に関して記載された実施の形態では、パルス幅変調（ＰＷＭ）による駆動波形が使用されている。駆動パルス時間を変えることで、中間の光学状態が達成される。本発明は、たとえば、電圧変調駆動に基づいた、すなわち中間の光学状態が駆動パルスの電圧レベルを変えることで達成される、他の駆動方法が使用されたときに適用可能でもある。
【０１０５】
リセットパルスが存在しない駆動スキームを使用することも可能である。  
本発明は、たとえば、２つの異なるカラーの粒子が存在する電気泳動ディスプレイといった、マルチカラーディスプレイにも適用可能である。
【０１０６】
請求項では、括弧内に配置される参照符号は、請求項を限定するものとして解釈されるべきではない。動詞「有する“comprise”」及びその派生語は、請求項に述べられる構成要素又はステップ以外の構成要素又はステップの存在を排除するものではない。構成要素に先行する冠詞“ａ”又は“ａｎ”は、複数のかかる構成要素の存在を排除するものではない。本発明は、幾つかの個別の構成要素を有するハードウェア、適切にプログラムされたコンピュータにより実現される場合がある。幾つかの手段を列挙している装置の請求項では、これらの手段の幾つかは、同一のハードウェアにより実現される場合がある。所定の手段が相互に異なる従属の請求項で引用される事実は、これらの手段の組み合わせが利用することができないことを示すものではない。
【図面の簡単な説明】
【０１０７】
【図１】ドライバ及び双安定ディスプレイをもつ表示装置を概念的に示す図である。
【図２】ディスプレイスクリーン上の異なる領域を示す図である。
【図３】本発明の実施の形態に係る、ディスプレイスクリーンの完全なエリア又はディスプレイスクリーン上のサブエリアを更新するために使用される駆動電圧を示す図である。
【図４】電気泳動ディスプレイの一部の断面を概念的に示す図である。
【図５】電気泳動ディスプレイの一部の等価回路図により画像表示装置を概念的に示す図である。
【図６】本発明の実施の形態に係る、ディスプレイスクリーンの完全な領域又はディスプレイスクリーンのサブエリアを更新するための駆動電圧を示す図である。
【図７】本発明の実施の形態に係る、ディスプレイスクリーンの完全な領域又はディスプレイスクリーンのサブエリアを更新するための駆動電圧を示す図である。
【図８】本発明の実施の形態に係る、双安定ディスプレイを駆動するため制御回路のブロック図である。
【図９】双安定ディスプレイを駆動するための駆動回路のブロック図である。
【図１】
2006516747.tif 000003
【図２】
2006516747.tif 000004
2006516747.tif 000005
2006516747.tif 000006
【図４】
2006516747.tif 000007
【図５】
2006516747.tif 000008
2006516747.tif 000009
2006516747.tif 000010
【図８】
2006516747.tif 000011
2006516747.tif 000012
【図９】
2006516747.tif 000013
【国際調査報告】
2006516747.tif 000014
2006516747.tif 000015
2006516747.tif 000016